【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
エアバッグモジュールの展開方向を案内する案内部材の端部側を被取付部に取付ける取付部材であって、
前記取付部材は、前記案内部材の端部側を内部に保持する保持空間を備え、
前記保持空間を形成する壁面及び前記案内部材の端部側の少なくとも一方は、前記案内部材の端部側の前記壁面に対する移動を抑制する移動抑制部を有し、
前記被取付部は、前記エアバッグモジュールを装備するシートのサイドフレームであり、
前記取付部材は、前記サイドフレームとは別体からなり、前記サイドフレームに係止される溝を備え、
前記移動抑制部は、前記保持空間を形成する壁面に設けられたことを特徴とする取付部材。
【請求項２】
前記保持空間は、前記取付部材の上端から下端まで伸びる開口からなり、
第一の壁部の面と第二の壁部の面が、相互に一定の間隔を置いて略平行に対向して形成される隙間であるスリットが、前記保持空間につながって形成され、
前記保持空間には、前記スリットに近接した位置に、前記移動抑制部が設けられていることを特徴とする請求項１記載の取付部材。
【請求項３】
前記保持空間には、前記案内部材の前記端部側が取付けられたプレートが保持され、
前記プレートは、前記保持空間に取り付けられたときに前記移動抑制部に対向する位置に設けられることを特徴とする請求項１又は２記載の取付部材。
【請求項４】
前記案内部材の前記端部側は、前記プレートに縫着部で縫着されており、
前記移動抑制部は、前記取付部材の上下方向において、前記プレートと前記端部側の前記縫着部に対向しない位置に設けられていることを特徴とする請求項３記載の取付部材。
【請求項５】
前記取付部材と前記移動抑制部は、一体成形されていることを特徴とする請求項１乃至４いずれか記載の取付部材。
【請求項６】
前記保持空間は、平面と湾曲部を備え、
前記移動抑制部は前記保持空間内で前記平面に配置されることを特徴とする請求項１乃至５いずれか記載の取付部材。
【請求項７】
前記保持空間と前記溝は、前記平面を構成する壁部により隔てられていることを特徴とする請求項６記載の取付部材。
【請求項８】
前記プレートは、前記保持空間の延出方向に長尺な矩形の板体であり、
前記移動抑制部の突出方向は、前記プレートの長手方向と交差することを特徴とする請求項３又は４記載の取付部材。
【請求項９】
シートバックフレームと着座フレームを備える車両用シートに取り付けられ、
前記案内部材は前記取付部材の外面に押し付けられるように密着して配置されることを特徴とする請求項１乃至８いずれか記載の取付部材。
【手続補正２】
【補正対象書類名】明細書
【補正対象項目名】発明の名称
【補正方法】変更
【補正の内容】
【発明の名称】取付部材
【手続補正３】
【補正対象書類名】明細書
【補正対象項目名】０００１
【補正方法】変更
【補正の内容】
【０００１】
本発明は、取付部材に係り、エアバッグの展開方向を案内する力布の端部を被取付部に固定する取付部材に関する。
【手続補正４】
【補正対象書類名】明細書
【補正対象項目名】０００６
【補正方法】変更
【補正の内容】
【０００６】
しかし、特願２０１１−２６０６２３号で提案された取付部材は、力布の端部を取付部材の保持空間に保持するため、保持空間内で力布が移動する虞があった。
本発明は、上記の課題に鑑みてなされたものであり、本発明の目的は、取付部材に取付けられる力布の端部が、取付部材から移動することを規制する取付部材を提供することにある。
本発明の更に他の目的は、力布の端部が取付部材の適切な位置に配置されたことを組み付け時に即時に知ることができるガイドを備えることにより、力布のシートバックフレームへの組付の作業性が向上された取付部材を提供することにある。
【手続補正５】
【補正対象書類名】明細書
【補正対象項目名】０００７
【補正方法】変更
【補正の内容】
【０００７】
前記課題は、請求項１の取付部材によれば、エアバッグモジュールの展開方向を案内する案内部材の端部側を被取付部に取付ける取付部材であって、前記取付部材は、前記案内部材の端部側を内部に保持する保持空間を備え、前記保持空間を形成する壁面及び前記案内部材の端部側の少なくとも一方は、前記案内部材の端部側の前記壁面に対する移動を抑制する移動抑制部を有し、前記被取付部は、前記エアバッグモジュールを装備するシートのサイドフレームであり、前記取付部材は、前記サイドフレームとは別体からなり、前記サイドフレームに係止される溝を備え、前記移動抑制部は、前記保持空間を形成する壁面に設けられたこと、により解決される。
【手続補正６】
【補正対象書類名】明細書
【補正対象項目名】０００８
【補正方法】変更
【補正の内容】
【０００８】
このように、保持空間を形成する壁面及び案内部材の端部側の少なくとも一方は、案内部材の端部側を、壁面に対して、保持空間への案内部材の端部側の前記壁面に対する移動を抑制する移動抑制部を有するため、取付後に保持空間内で案内部材の端部が、移動することを抑制できる。また、案内部材端部側の位置決めが可能となり、案内部材の被取付部への取付が容易になる。
また、取付部材による案内部材の端部の支持剛性を向上できる。
案内部材を、サイドフレームに直接取付けでき、取付を、コンパクトで簡単な構成で達成できる。
また、取付部材がサイドフレームと別体として構成されているため、案内部材のサイドフレームへの取付位置を最初から厳密に設計する必要がない。
【手続補正７】
【補正対象書類名】明細書
【補正対象項目名】０００９
【補正方法】変更
【補正の内容】
【０００９】
このとき、請求項２のように、前記保持空間は、前記取付部材の上端から下端まで伸びる開口からなり、第一の壁部の面と第二の壁部の面が、相互に一定の間隔を置いて略平行に対向して形成される隙間であるスリットが、前記保持空間につながって形成され、前記保持空間には、前記スリットに近接した位置に、前記移動抑制部が設けられていると好適である。
このように構成しているため、保持空間内の案内部材の端部は、保持空間の奥側からスリット側への引張力を受けるが、スリットに近接した位置に、移動抑制部が設けられているため、案内部材の端部が、案内部材に掛かる引張力により移動抑制部に押し付けられ、案内部材の端部の移動を規制する効果を、より強く達成できる。
また、移動抑制部により、案内部材の端部が、保持空間内で、スリットに近接した位置からスリットに遠い側に押されるため、案内部材の端部の保持空間からの抜けの抑制効果も達成できる。
【手続補正８】
【補正対象書類名】明細書
【補正対象項目名】００１０
【補正方法】変更
【補正の内容】
【００１０】
このとき、請求項３の取付部材のように、前記保持空間には、前記案内部材の前記端部側が取付けられたプレートが保持され、前記プレートは、前記保持空間に取り付けられたときに前記移動抑制部に対向する位置に設けられること、により解決される。
【手続補正９】
【補正対象書類名】明細書
【補正対象項目名】００１１
【補正方法】変更
【補正の内容】
【００１１】
このとき、請求項４のように、前記案内部材の前記端部側は、前記プレートに縫着部で縫着されており、前記移動抑制部は、前記取付部材の上下方向において、前記プレートと前記端部側の前記縫着部に対向しない位置に設けられていると好適である。
このように構成しているので、移動抑制部のより強固な係合が可能となる。
【手続補正１０】
【補正対象書類名】明細書
【補正対象項目名】００１２
【補正方法】変更
【補正の内容】
【００１２】
このとき、請求項５のように、前記取付部材と前記移動抑制部は、一体成形されていると好適である。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】変更
【補正の内容】
【００１４】
このとき、請求項６のように、前記保持空間は、平面と湾曲部を備え、前記移動抑制部は前記保持空間内で前記平面に配置されると好適である。
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】変更
【補正の内容】
【００１６】
このとき、請求項７のように、前記保持空間と前記溝は、前記平面を構成する壁部により隔てられていると好適である。
【手続補正１５】
【補正対象書類名】明細書
【補正対象項目名】００１７
【補正方法】変更
【補正の内容】
【００１７】
このとき、請求項８のように、プレートは、前記保持空間の延出方向に長尺な矩形の板体であり、前記移動抑制部の突出方向は、前記プレートの長手方向と交差すると好適である。
【手続補正１６】
【補正対象書類名】明細書
【補正対象項目名】００１８
【補正方法】変更
【補正の内容】
【００１８】
このとき、請求項９のように、シートバックフレームと着座フレームを備える車両用シートに取り付けられ、前記案内部材は前記取付部材の外面に押し付けられるように密着して配置されると好適である。
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】変更
【補正の内容】
【００２１】
請求項１の発明によれば、保持空間を形成する壁面及び案内部材の端部側の少なくとも一方は、案内部材の端部側を、壁面に対して、保持空間への案内部材の端部側の前記壁面に対する移動を抑制する移動抑制部を有するため、取付後に保持空間内で案内部材の端部が、移動することを抑制できる。また、案内部材端部側の位置決めが可能となり、案内部材の被取付部への取付が容易になる。
また、取付部材による案内部材の端部の支持剛性を向上できる。
案内部材を、サイドフレームに直接取付けでき、取付を、コンパクトで簡単な構成で達成できる。
また、取付部材がサイドフレームと別体として構成されているため、案内部材のサイドフレームへの取付位置を最初から厳密に設計する必要がない。
【手続補正２０】
【補正対象書類名】明細書
【補正対象項目名】００２２
【補正方法】変更
【補正の内容】
【００２２】
請求項２の発明によれば、保持空間内の案内部材の端部は、保持空間の奥側からスリット側への引張力を受けるが、スリットに近接した位置に、移動抑制部が設けられているため、案内部材の端部が、案内部材に掛かる引張力により移動抑制部に押し付けられ、案内部材の端部の移動を規制する効果を、より強く達成できる。
また、移動抑制部により、案内部材の端部が、保持空間内で、スリットに近接した位置からスリットに遠い側に押されるため、案内部材の端部の保持空間からの抜けの抑制効果も達成できる。
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】変更
【補正の内容】
【００２４】
請求項４の発明によれば、移動抑制部のより強固な係合が可能となる。
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００４３
【補正方法】変更
【補正の内容】
【００４３】
取付部材５０は、硬質樹脂から一体成形されてなり、図５乃至図７に示すように、サイドフレーム１０の前縁部１２の内壁の断面Ｕ字状の形状に略沿った断面略Ｕ字状の外面形状を有する幅広部５１と、幅広部５１の前縁部１２端部側に形成された掛け止め部５２と、掛け止め部５２の幅広部５１逆側の端部が力布３２の伸びる側へ延出し、前縁部１２の外側の面に覆い被さるように設けられた延出部５４を備えている。取付部材５０は、取付時前縁部１２に沿う方向に略同じ断面形状を備えている。
掛け止め部５２には、幅広部５１の前縁部１２端部側に、取付部材５０を前縁部１２に掛け止めるための溝５３が、幅広部５１から連続して形成されている。溝５３は、前縁部１２の端部を挟持している。
幅広部５１には、トリムプレート３７を内部に保持して係止する係止部５５と、係止部５５から引き出される力布３２の通路となるスリット６９の両壁面を形成する第一の壁部５９，第二の壁部６０を備えている。係止部５５は、特許請求の範囲の保持空間に該当する。
【手続補正２９】
【補正対象書類名】明細書
【補正対象項目名】００５３
【補正方法】変更
【補正の内容】
【００５３】
また、トリムプレート３７は、スリット６９側の平面３７ａと係止部５５Ａの奥側の平面５５Ａｃに対向する平面３７ｂとを備えている。
力布３２は、端部３２ｅがスリット６９側の平面３７ａに当接し、スリット６９に遠い奥側の湾曲面５５Ａａ側を通って奥側の平面５５Ａｃに当接した後、スリット６９に近い側の湾曲面５５Ａｂ側からスリット６９を通って取付部材５０Ａの外側へ導かれている。
トリムプレート３７には、スリット側の平面３７ａに力布３２の端部３２ｅが当接している。また、奥側の平面３７ｂに、力布３２のスリット側の平面３７ａ側から折り返された部分３２ａが当接し、この部分３２ａの上に複数の力布の切片を積層した切片積層体３９Ａが重層されている。この端部３２ｅ，トリムプレート３７，力布３２の部分３２ａ及び切片積層体３９Ａからなる積層体７１Ａが、図８に示すように縫合されている。